(57)【要約】【課題】  より防犯能力が高いパチンコ機用の防犯部材を提供すること。【解決手段】  防犯部材５１は、遊技盤１３の下辺部に取り付けられ、ファール球排出口から遊技盤面１３ａへの不正器具Ｗの侵入を防止する。防犯部材５１は、球移動空間を覆う覆板部５２を備え、第１突壁５６及び第２突壁５７を備えている。第１突壁５６は、覆板部５２の裏面から垂直方向に突出し、内レール３１ａの側面に沿うよう湾曲形成される。第２突壁５７は、覆板部５２の表面５２ｂから垂直方向に突出し、先端部が嵌合溝部材７２の上面７２ｂに当接して配置される。第２突壁５７は、横方向の長さがファール球排出口の横幅よりも大きくなっている。【選択図】  図３
2006334037.tif 000002
【特許請求の範囲】
【請求項１】
遊技盤の下辺部に取り付けられ、ファール球排出口から遊技盤面への不正器具の侵入を防止する防犯部材であって、
前記遊技盤面上にある内レールと外レールとの間に生じる球移動空間を覆う覆板部と、
前記覆板部の裏面から略垂直方向に突出し、前記内レールの側面に沿うよう湾曲形成された第１突壁と、
前記覆板部の表面から略垂直方向に突出し、少なくともその先端部が球受皿の上辺部の上面または下面に近接または当接して配置され、横方向の長さが前記ファール球排出口の横幅よりも大きい第２突壁と
を備えることを特徴とするパチンコ機用の防犯部材。
【請求項２】
前記第２突壁は、前記上辺部の上面または前記上辺部の下面に当接して配置されることを特徴とする請求項１に記載のパチンコ機用の防犯部材。
【請求項３】
前記遊技盤側と着脱可能に係合する係合部を設けたことを特徴とする請求項１または２に記載のパチンコ機用の防犯部材。
【請求項４】
前記覆板部の下端に、前記球移動空間の下端部分を覆う帯板部が形成されており、
前記帯板部に、前記第２突壁と同一方向に突出し、前記球受皿の上辺部の背面に当接するリブが設けられていることを特徴とする請求項１乃至３のいずれか１項に記載のパチンコ機用の防犯部材。
【請求項５】
前記第２突壁は、前記覆板部の表面から略垂直方向に延びる基端部と、前記基端部に直交して延びる中間部と、前記基端部と同一方向に延びる先端部とからなり、
前記中間部が前記球受皿の上辺部の背面に当接するとともに、前記先端部が前記上辺部の下面に近接または当接して配置されることを特徴とする請求項１乃至３のいずれか１項に記載のパチンコ機用の防犯部材。
【発明の詳細な説明】
【技術分野】
【０００１】
本発明は、不正器具がファール球排出口から遊技盤面（遊技領域）に侵入することを防止するパチンコ機用の防犯部材に関するものである。
【背景技術】
【０００２】
一般に、パチンコ機で遊技を行う場合、操作ハンドルを操作して打出レールから遊技球を打ち出し、内レール及び外レールを介して遊技盤の遊技領域に遊技球を導くようになっている。しかし、打出力の不足により、遊技領域に到達せずに逆戻りする遊技球（ファール球）が発生することがある。このファール球は、打出レールの上端と外レールの下端との間に形成されたファール球排出口を介して排出される。
【０００３】
ところが、ファール球排出口は下球皿に連通しているため、ファール球排出口を悪用した不正行為が行われやすい。具体的に言うと、例えばワイヤ等の不正器具の先端部を、下球皿の球出口からファール球排出口内に挿入させる。さらに、ファール球排出口内に挿入した不正器具の先端部を、内レールと前枠のガラス枠との間に通して遊技領域内に到達させる。そして、例えば始動入賞口の羽根部材等を不正器具の先端部で開放させて、遊技球を受け入れやすい状態にし、多くの賞球を獲得する不正行為が行われることがある。
【０００４】
この問題を解決するために、パチンコ機用の防犯部材が種々提案されている（例えば、特許文献１参照）。例えば図１３に示されるように、防犯部材１０１は、内レール１１１と外レール１１２との間に生じる球移動空間を覆う覆板部１０２と、覆板部１０２の裏面に突設され、内レール１１１の側面に沿って湾曲する突壁１０３と、遊技盤１１３と着脱可能に係合する係合部（図示略）とを備えている。このような部材を使用すれば、前枠１１４を閉じた状態で、該前枠１１４のガラス枠１１５と覆板部１０２の表面とが当接（密着）するため、ファール球排出口から遊技領域１１３ａへの不正器具の侵入を防ぐことができる。
【特許文献１】特開平１１−３３１８７号公報（［００１６］〜［００２０］、図３，図５，図７など）
【発明の開示】
【発明が解決しようとする課題】
【０００５】
しかし、特許文献１に記載の防犯部材１０１を用いたとしても、例えば図１４に示すように、前枠１１４を開く方向（矢印Ｆ１方向）へ強く引っ張るようにすれば、ガラス枠１１５と覆板部１０２とが離間して隙間Ｓ１が生じてしまう可能性がある。その結果、ファール球排出口を通過した後、上球皿１１６側にある嵌合溝部材１１７の背面と覆板部１０２との空間Ｓ２を通過した不正器具を、隙間Ｓ１から挿入できるようになるため、不正行為が行われてしまうおそれがあった。
【０００６】
本発明は上記の課題に鑑みてなされたものであり、その目的は、より防犯能力が高いパチンコ機用の防犯部材を提供することにある。
【課題を解決するための手段】
【０００７】
上記の課題を解決するために、請求項１に記載の発明は、遊技盤の下辺部に取り付けられ、ファール球排出口から遊技盤面への不正器具の侵入を防止する防犯部材であって、前記遊技盤面上にある内レールと外レールとの間に生じる球移動空間を覆う覆板部と、前記覆板部の裏面から略垂直方向に突出し、前記内レールの側面に沿うよう湾曲形成された第１突壁と、前記覆板部の表面から略垂直方向に突出し、少なくともその先端部が球受皿の上辺部の上面または下面に近接または当接して配置され、横方向の長さが前記ファール球排出口の横幅よりも大きい第２突壁とを備えることを特徴とするパチンコ機用の防犯部材をその要旨とする。
【０００８】
従って、請求項１に記載の発明によると、十分な横幅を有する第２突壁を覆板部の表面から突出させたことにより、その第２突壁が、上辺部と覆板部とがなす空間のある箇所における好適な障害物として機能する。その結果、ファール球排出口を介して不正器具を挿入したとしても、その不正器具は第２突壁に邪魔されて当該空間を通過できない。ゆえに、前枠や球受皿などを開く方向へ強く引っ張った際に、ガラス枠と覆板部との間に隙間が生じたとしても、その隙間からの不正器具の侵入を確実に防止できる。また、第１突壁を覆板部の裏面から突出させたことにより、覆板部と内レールとの隙間からの不正器具の侵入を防止できる。従って、防犯部材の防犯能力が高くなる。
【０００９】
また、第２突壁の先端部は、球受皿の上辺部の上面または下面に近接または当接して配置されているため、球受皿を開く方向へ強く引っ張ったとしても、第２突壁は、上辺部と覆板部とがなす空間のある箇所における好適な障害物としての機能を維持し続けることができる。
【００１０】
なお、防犯部材を形成する材料は特に限定されず、合成樹脂や金属などを用いることができる。防犯部材は、合成樹脂の射出成形により形成されてもよいし、金属板を折り曲げることで形成されてもよい。また、防犯部材は、有色部材によって形成されていてもよいし、無色透明の透光性部材によって形成されていてもよい。仮に、防犯部材を有色部材によって形成すれば、防犯部材を、遊技盤を装飾する装飾部材として用いることもできる。一方、防犯部材を無色透明の透光性部材によって形成すれば、防犯部材が目障りになりにくい。なお、防犯部材が無色透明である場合、防犯部材は合成樹脂によって形成されることがよい。
【００１１】
また、前記覆板部は、内レールと外レールとの間に生じる球移動空間の全域を覆っていてもよいし、前記球移動空間の下部領域のみを覆っていてもよいが、前記球移動空間の下部領域のみを覆うことが好ましい。このようにすれば、少ない材料で防犯部材を形成できるため、防犯部材を低コストで製造できる。なお、覆板部が球移動空間の下部領域のみを覆う場合、覆板部の上端は、遊技盤の下端よりも遊技盤の１／３〜１／４の高さだけ上方に位置することが好ましい。一般的に、遊技盤面上にある入賞口は、遊技盤の下端から１／３〜１／４の高さまでの範囲に位置しているため、覆板部の上端の位置を上記のように設定することで、不正器具を覆板部の先端側から遊技盤面に侵入させたとしても、入賞口の操作が困難になる。ゆえに、不正行為をより確実に防止できる。
【００１２】
前記第１突壁の長さは、内レールの側面に沿って湾曲した状態で、適宜設定することが可能であるが、長いほうが好ましい。このようにすれば、不正器具を覆板部と内レールとの隙間から侵入させようとしても、不正器具の侵入が第１突壁に遮られる確率が高くなる。しかも、覆板部が第１突壁で補強されて変形しにくくなる。なお、第１突壁の一端は、覆板部の上端と同じ高さに位置していることが好ましい。仮に、第１突壁の一端が覆板部の上端よりも上方に位置していたとしても、第１突壁において覆板部の上端よりも上側の部分は、不正器具の侵入を防止する機能を有しないので無駄になる。一方、第１突壁の一端が覆板部の上端よりも下方に位置していると、第１突壁が短くなるため、不正器具の侵入が第１突壁に遮られる確率が低くなる。また、前記第１突壁の突出量は、内レールの高さとほぼ等しいことが好ましい。仮に、第１突壁の突出量が小さすぎると、第１突壁の先端が遊技盤面に接触しなくなるため、防犯部材にガタツキが生じやすくなる。一方、第１突壁の突出量が大きすぎると、前枠を閉じる際に、覆板部とガラス枠とが互いに干渉してしまう。
【００１３】
また、球受皿としては、上球皿、下球皿が挙げられる。球受皿が上球皿である場合、球受皿の上辺部としては、例えば、上球皿を有する開閉板の上部にて横方向に延設された断面コ字状の嵌合溝部材などが挙げられる。
【００１４】
なお、前記第２突壁は、少なくともその基端部が覆板部の表面から略垂直方向に延びており、かつ少なくともその先端部が球受皿の上辺部の上面または下面に近接または当接するように形成されていればよい。つまり、基端部と先端部とを接続する中間部を設け、基端部、中間部及び先端部によって第２突壁を構成してもよい。
【００１５】
また、上辺部が前記嵌合溝部材である場合、前記第２突壁の突出量は、先端が嵌合溝部材の前端付近に位置する程度であることが好ましい。仮に、第２突壁の突出量が小さすぎると、上球皿を開く方向へ強く引っ張った際に、嵌合溝部材と覆板部とがなす空間からの不正器具の侵入を、第２突壁によって防止できない可能性がある。一方、第２突壁の突出量が大きすぎると、前枠を閉じる際に、第２突壁と前枠とが互いに干渉する可能性がある。
【００１６】
請求項２に記載の発明は、請求項１において、前記第２突壁は、前記上辺部の上面または前記上辺部の下面に当接して配置されることをその要旨とする。
【００１７】
従って、請求項２に記載の発明によると、第２突壁と上辺部との当接により、第２突壁と上辺部との間に隙間が生じなくなるため、上記隙間からの不正器具の侵入を防止できる。よって、防犯部材の防犯能力がより高くなる。
【００１８】
請求項３に記載の発明は、請求項１または２において、前記遊技盤側と着脱可能に係合する係合部を設けたことをその要旨とする。
【００１９】
従って、請求項３に記載の発明によると、係合部を設けたことで、防犯部材を遊技盤に対して容易に着脱できる。
【００２０】
なお、係合部は、従来公知の様々な構造を適用することが可能である。係合部としては、例えば係合片や係合フックなどを用いた構造を挙げることができる。また、係合部は、防犯部材において１個のみ設けられてもよいし、複数個設けられてもよいが、複数個設けられることが好ましい。このようにすれば、防犯部材が複数の係合部で固定されるため、防犯部材を強固に取り付けることができる。よって、防犯部材の移動による隙間の発生を防止できるため、発生した隙間からの不正器具の侵入を防止できる。さらに、係合部が複数個に設けられている場合、各係合部を互いに離間して配置すれば、防犯部材をより強固に取り付けることができる。なお、互いに離間して配置される複数の係合部の具体例としては、前記帯板部の端部に設けられ、コーナー化粧部材に設けられた穴部に挿入される第１係合部や、前記帯板部の略中央に設けられ、前記コーナー化粧部材の端部に係合する第２係合部などが挙げられる。ここで、コーナー化粧部材とは、外レールよりも外側にあって、前記遊技盤面の外周部分にある部材である。この場合、従来から存在するコーナー化粧部材を利用して防犯部材を取り付けているため、遊技盤側に防犯部材の取付構造を設けなくても済む。
【００２１】
請求項４に記載の発明は、請求項１乃至３のいずれか１項において、前記覆板部の下端に、前記球移動空間の下端部分を覆う帯板部が形成されており、前記帯板部に、前記第２突壁と同一方向に突出し、前記球受皿の上辺部の背面に当接するリブが設けられていることをその要旨とする。
【００２２】
従って、請求項４に記載の発明によると、覆板部の下端に帯板部が形成されているため、防犯部材が帯板部で補強されて変形しにくくなる。また、球受皿を閉じた際に、リブが球受皿の上辺部の背面に当接するため、防犯部材のガタツキを球受皿によって抑えることができる。なお、リブは第２突壁に接続されることが好ましい。このようにすれば、第２突壁をリブによって補強できる。
【００２３】
なお、帯板部は、覆板部の下端において横方向に延設され、前記球移動空間の下端部分と、前記遊技盤面の外周部分にあるコーナー化粧部材の下端部分とを覆うように形成されていてもよい。また、帯板部に、前記遊技盤側と着脱可能に係合する係合部を設けてもよい。
【００２４】
また、請求項５に記載の発明は、請求項１乃至３のいずれか１項において、前記第２突壁は、前記覆板部の表面から略垂直方向に延びる基端部と、前記基端部に直交して延びる中間部と、前記基端部と同一方向に延びる先端部とからなり、前記中間部が前記球受皿の上辺部の背面に当接するとともに、前記先端部が前記上辺部の下面に近接または当接して配置されることを特徴とするパチンコ機用の防犯部材をその要旨とする。
【００２５】
従って、請求項５に記載の発明によると、上辺部と中間部との間に空間が生じなくなるため、ファール球排出口を介して挿入された不正器具が上辺部と中間部との間に侵入することを防止できる。従って、防犯部材の防犯能力がよりいっそう高くなる。また、球受皿を閉じた際に、中間部が球受皿の上辺部の背面に当接するため、防犯部材のガタツキを球受皿によって抑えることができる。
【発明の効果】
【００２６】
以上詳述したように、請求項１〜５に記載の発明によれば、より防犯能力が高いパチンコ機用の防犯部材を提供することができる。特に、請求項２によれば、防犯部材の防犯能力がより高くなる。
【発明を実施するための最良の形態】
【００２７】
［第１の実施形態］
【００２８】
以下、本発明をパチンコ機に具体化した第１の実施形態を図１〜図８に基づき説明する。
（１）パチンコ機１０の構成
【００２９】
図１には、前枠１４及び開閉板１６を開いた状態のパチンコ機１０が示されている。機体の外郭をなす外枠１１の開口前面側には、各種のパチンコ機用構成部材をセットする縦長方形の中枠１２が開閉及び着脱自在に組み付けられている。図１，図２に示されるように、中枠１２は、外枠１１の開口前面と略同じ外形をなす枠体６１を備えている。枠体６１は、遊技盤取付孔６２を有する遊技盤取付部６３、及び、遊技盤取付部６３の下方に位置する遊技補助部６４などを一体形成することにより構成されている。遊技盤取付孔６２の周囲には、遊技盤１３を位置決め固定するための係止保持部６５等が設けられている。また、遊技補助部６４には、賞球用の球出口６６、ファール球用のファール球回収口６７が設けられている。そして、遊技補助部６４の裏側には、ファール球回収口６７と連通する下球皿１８用の貫通孔（図示略）等が設けられている。
【００３０】
図１に示されるように、中枠１２の前面側には、前枠１４及び開閉板１６が、ともに横開き状態で開閉可能に組み付けられている。前枠１４は、遊技盤取付孔６２に取り付けられた遊技盤１３を透視保護するためのガラス枠１４ａを備えている。図３，図４に示されるように、開閉板１６の前側には、球受皿としての上球皿１５が取り付けられている。そして、開閉板１６の左側後部には、球出口６６に接続可能な球受筒７１が突設され、その球受筒７１は上球皿１５の皿部１５ａ側に開口されている。また、開閉板１６の上部には、断面略コ字状の嵌合溝部材７２（上辺部）が横方向に延設されている。嵌合溝部材７２は、開閉板１６の長手方向の略全体に亘って設けられている。前枠１４を閉じた状態において、嵌合溝部材７２を構成する上板部７３は、前枠１４の下端部に横方向に延設された断面略コ字状の溝部材１４ｂ（図３参照）の内側部分に挿入されるようになっている。これにより、パチンコ機１０の前方から前枠１４と開閉板１６（上球皿１５）との間への不正器具Ｗ（ワイヤ等）の侵入が防止される。
【００３１】
図１，図２に示されるように、中枠１２の下部には、下球皿１８及び操作手段１９などを有する下皿ユニット２０が装着されている。これにより、下球皿１８の中央部にて開口する球出口１８ａが前記下球皿１８用の貫通孔と連通する。
【００３２】
また、遊技補助部６４の右側部には基盤８１が設置され、基盤８１には打出レール８２が傾斜した状態（右下がり）で取り付けられている。打出レール８２の上端は、遊技盤１３の遊技盤面１３ａに敷設された外レール３１ｂの下端よりも遊技球２個分程度下方に配置されている。なお、打出レール８２の長手方向に沿って仮想線を引いた場合、外レール３１ｂの下端は仮想線よりも遊技球１個分程度下方に位置している。また、打出レール８２の上端及び外レール３１ｂの下端は、互いに所定距離だけ離間した状態で対向しており、この離間部分により、遊技中に発生したファール球を排出するファール球排出口８３が構成される。よって、ファール球排出口８３に入ったファール球は、前記ファール球回収口６７、下球皿１８用の貫通孔及び前記球出口１８ａを通過して下球皿１８に回収される。
（２）遊技盤１３の構成
【００３３】
図１に示されるように、遊技盤１３の遊技盤面１３ａには、内レール３１ａ及び外レール３１ｂが略円形状に敷設されている。内レール３１ａと外レール３１ｂとの間に生じる球移動空間３１には、操作手段１９を操作した際に打出レール８２から発射された遊技球が誘導されるようになっている。さらに、遊技盤面１３ａの左側部における外レール３１ｂの外側領域には、コーナー化粧部材３３が設けられ、遊技盤１３の右側部における外レール３１ｂの外側領域には、コーナー化粧部材３２が設けられている。コーナー化粧部材３３の内側面３３ａは、外レール３１ｂの外面（側面）に沿うよう湾曲形成されており、コーナー化粧部材３２の内側面３２ｂは、内レール３１ａの外面及び外レール３１ｂの外面に沿うよう湾曲形成されている。
【００３４】
また、内レール３１ａ及び外レール３１ｂの内側領域である遊技領域の略中央部には、液晶式図柄表示装置４１を有する枠状の大型装飾部材２１が装着されている。液晶式図柄表示装置４１の下方には、普通電動役物２２ａが一体的に構成された始動入賞口２２が配設されている。普通電動役物２２ａは、一対の羽根部材からなり、図示しないソレノイドの励磁作用により開閉するようになっている。また、始動入賞口２２の下方には、図示しないソレノイドにより開閉動作を行う開閉扉を備えた大入賞口２４が配置されている。始動入賞口２２にて遊技球が検知された場合には、液晶式図柄表示装置４１による図柄組み合わせゲームが行われる。図柄組み合わせゲームの結果が大当りとなれば、大入賞口２４の開閉扉が開放されて、該大入賞口２４への遊技球の入賞が可能となる。そして、各入賞口２２，２４に遊技球が入賞すると賞球の払い出しが行われるようになっている。なお、遊技領域の最下部（内レール３１ａの下端部）には、いずれの入賞口２２，２４にも入賞しなかった遊技球を回収するためのアウト口２５（図２参照）が配置されている。
（３）防犯部材５１の構成
【００３５】
図１，図２に示されるように、遊技盤１３の下辺部には、前記球移動空間３１を覆う覆板部５２と、覆板部５２の裏面５２ａから垂直方向に突出し、内レール３１ａの外面に沿うよう湾曲形成された第１突壁５６と、覆板部５２の表面５２ｂから垂直方向に突出する第２突壁５７とを有する防犯部材５１が、前記球移動空間３１の下部領域を覆うように取り付けられている。防犯部材５１は、前記ファール球排出口８３から遊技盤面１３ａへの不正器具Ｗの侵入を防止する機能を有している。なお、防犯部材５１は、無色透明の透光性部材（本実施形態では透光性樹脂）によって形成されている。
【００３６】
図１〜図３，図５，図６に示されるように、防犯部材５１は、球移動空間３１の下部領域のみを覆う覆板部５２を備えている。覆板部５２の上端は、遊技盤１３の下端から遊技盤１３の約１／４の高さだけ上方に位置している。即ち、覆板部５２の上端は、遊技盤面１３ａ上にある前記大入賞口２４の上端と略同一の高さに位置している。また、覆板部５２の右辺は、内レール３１ａの外面に沿うよう湾曲形成されており、覆板部５２の左辺は、外レール３１ｂの内面に沿うよう湾曲形成されている。覆板部５２の表面５２ｂは、前枠１４を閉じた状態で、前記ガラス枠１４ａと略当接（近接）するようになっている（図３参照）。覆板部５２の表面５２ｂの下端部には、逃げ溝５２ｃが覆板部５２の左右方向（横方向）に延設されている。逃げ溝５２ｃは、前枠１４を閉じた際にガラス枠１４ａの枠部１４ｃ（図３参照）との干渉を防止する機能を有している。また、覆板部５２の下端には、正面視略帯状をなし、左右方向に延びる帯板部５３が形成されている。帯板部５３は、球移動空間３１の下端部分と、前記コーナー化粧部材３２の下端部左側とを覆うようになっている。
【００３７】
図５，図６（ａ），図６（ｃ）に示されるように、帯板部５３の裏面５３ａにおける左端部（図１，図２では正面から見て右端部）には、略円筒状の第１係合部５４（係合部）が突設されている。第１係合部５４は、コーナー化粧部材３２に設けられた円形状の穴部３２ａ（図７，図８参照）に対して挿脱可能に挿入されている。なお、穴部３２ａは、コーナー化粧部材３２を射出成形する際に、裏側に遊技盤取付用のボス（図示略）を突出させることに伴い、表面に形成される凹部である。この穴部３２ａは、コーナー化粧部材３２の下端部左側において帯板部５３によって覆われる部分に配置されている。
【００３８】
また、図５（ｂ），図６（ｃ），図６（ｄ）に示されるように、帯板部５３の裏面５３ａにおける略中央には、第２係合部５５（係合部）が形成されている。第２係合部５５は、前記第１突壁５６の下端部（板部５５ｃ）に接続され、帯板部５３の裏面５３ａから垂直方向に延びる突出片５５ａと、同突出片５５ａの先端から帯板部５３と平行に延びる係止片５５ｂとを備えている。突出片５５ａの突出量は、コーナー化粧部材３２の下端部左側の厚さ（前後方向の長さ）と略同一になっている（図８参照）。係止片５５ｂは、帯板部５３の裏面５３ａから見て左側（第１係合部５４側）に延びている。係止片５５ｂは、コーナー化粧部材３２の下端部左端面３２ｃに形成された切欠３２ｄ（図８参照）と遊技盤面１３ａとの間に挿入されることにより、防犯部材５１の前方への脱落を防止するための部位である。さらに、第１突壁５６の下端部には、前記アウト口２５の下方に位置する板部５５ｃが形成されており、該板部５５ｃの下面には、突出片５５ａ及び係止片５５ｂが直交した状態で接続されている。板部５５ｃは、コーナー化粧部材３２の内側面３２ｂに接触するようになっている。従って、突出片５５ａをコーナー化粧部材３２の下端部左端面３２ｃ（図７，図８参照）に接触させ、係止片５５ｂを切欠３２ｄに挿入させるとともに、板部５５ｃをコーナー化粧部材３２の内側面３２ｂに接触させることにより、第２係合部５５がコーナー化粧部材３２の下端部左側に対して着脱可能に係合される。
【００３９】
図５，図６に示されるように、覆板部５２の裏面５２ａからは、第１突壁５６が垂直方向に突出している。第１突壁５６の突出量は、内レール３１ａの高さ（前後方向の長さ）と略同一に設定されている。第１突壁５６は、内レール３１ａの外面（側面）に沿うよう湾曲形成されている。第１突壁５６は、覆板部５２の右辺部分において上端から下端付近に亘って延設されており、その下端部である板部５５ｃは、前記アウト口２５の下方に位置するようになっている。
【００４０】
一方、覆板部５２の下辺部分の表面５２ｂからは、第２突壁５７が垂直方向（第１突壁５６の突出方向とは反対方向）に突出している。第２突壁５７は略帯状をなし、横方向の長さは、前記ファール球排出口８３の横幅（前記打出レール８２の上端と外レール３１ｂの下端との距離）よりも大きくなっている。また、第２突壁５７は、帯板部５３の長手方向の略全体に亘って設けられている。具体的に言うと、第２突壁５７の左端は、覆板部５２の下辺部分の左端に位置しており、第２突壁５７の右端は、前記第１係合部５４の近傍に位置している。
【００４１】
また、図３，図４に示されるように、第２突壁５７の突出量は、開閉板１６を閉じた状態において、その先端が、前記嵌合溝部材７２の背面７２ａよりも遊技盤１３の前方に突出し、かつ嵌合溝部材７２の上板部７３（上面７２ｂ）の前端よりもやや後方に位置する長さに設定されている。さらに、第２突壁５７の先端部は、嵌合溝部材７２の上方に延びるとともに、嵌合溝部材７２（上板部７３）の上面７２ｂに当接して配置されている。
【００４２】
図５（ａ），図６（ｂ）〜（ｄ）に示されるように、帯板部５３の表面５３ｂには、前記第２突壁５７と同一方向に突出するリブ５８が設けられている。リブ５８は、帯板部５３の略中央において、第２係合部５５の突出片５５ａの裏側に配置されている。リブ５８の上端は第２突壁５７に接続されている。リブ５８の突出量は、図４に示されるように、開閉板１６を閉じた際に嵌合溝部材７２の背面７２ａに当接する長さに設定されている。
【００４３】
次に、防犯部材５１の作用を説明する。
【００４４】
例えばワイヤ等の不正器具Ｗを下球皿１８の球出口１８ａから挿入し、ファール球回収口６７及びファール球排出口８３を介して遊技盤面１３ａに到達させた後、不正器具Ｗの先端部で始動入賞口２２の羽根部材や大入賞口２４の開閉扉を操作して不正行為を行うことが考えられる。具体的に言うと、不正者は、不正器具Ｗの先端部を、嵌合溝部材７２と覆板部５２とがなす空間Ｓ３（図３参照）内に到達させた後、例えば前枠１４を開く方向へ強く引っ張ってガラス枠１４ａと覆板部５２との間に隙間を生じさせ、その隙間から不正器具Ｗの先端部を侵入させようとする。
【００４５】
しかし、空間Ｓ３の上側には第２突壁５７が位置しているため、不正器具Ｗの先端部をさらに侵入させようとしても、不正器具Ｗは第２突壁５７に邪魔されて空間Ｓ３を通過できない。
【００４６】
そこで、前枠１４だけでなく開閉板１６も開く方向へ引っ張ることにより、嵌合溝部材７２と第２突壁５７との間に隙間を生じさせようとすることが考えられる。しかし、第２突壁５７は、先端が嵌合溝部材７２の前端付近に位置するとともに、先端部が嵌合溝部材７２の上面７２ｂに当接している。このため、開閉板１６を引っ張ったとしても、第２突壁５７は嵌合溝部材７２の上面７２ｂに当接した状態を維持し続ける。従って、この場合も、不正器具Ｗは第２突壁５７に邪魔されて空間Ｓ３を通過できない。ゆえに、ガラス枠１４ａと覆板部５２との間に生じた隙間からの不正器具Ｗの侵入を確実に防止できる。
【００４７】
また、他の方法としては、球移動空間３１に到達させた不正器具Ｗの先端部を、内レール３１ａを乗り越えさせて、内レール３１ａの内側に到達させることが考えられる。しかし、球移動空間３１の下部領域は覆板部５２によって覆われており、覆板部５２から突出した第１突壁５６は内レール３１ａの外面に沿うよう湾曲形成されている。このため、不正器具Ｗを内レール３１ａの内側に到達させようとしても、不正器具Ｗの先端部は、覆板部５２や第１突壁５６に邪魔されるために内レール３１ａを乗り越えることができない。ゆえに、球移動空間３１からの不正器具Ｗの侵入を確実に防止できる。
【００４８】
従って、本実施形態によれば以下のような効果を得ることができる。
【００４９】
（１）本実施形態のパチンコ機１０によれば、十分な横幅を有する第２突壁５７を覆板部５２の表面５２ｂから突出させたことにより、その第２突壁５７が、空間Ｓ３のある箇所における好適な障害物として機能する。その結果、ファール球排出口８３を介して不正器具Ｗを挿入したとしても、その不正器具Ｗは、第２突壁５７に邪魔されて当該空間Ｓ３を通過できない。ゆえに、前枠１４を開く方向へ強く引っ張った際に、空間Ｓ３の上方（具体的には、ガラス枠１４ａと覆板部５２との間）に隙間が生じたとしても、その隙間からの不正器具Ｗの侵入を確実に防止できる。また、第１突壁５６を覆板部５２の裏面５２ａから突出させたことにより、覆板部５２と内レール３１ａとの隙間からの不正器具Ｗの侵入を防止できる。従って、防犯部材５１の防犯能力が高くなる。
【００５０】
（２）例えば、覆板部５２の表面５２ｂに第２突壁５７を設ける代わりに、クッション部材を貼付し、そのクッション部材を嵌合溝部材７２の背面７２ａに当接して配置することが考えられる。このようにすれば、クッション部材が、空間Ｓ３のある箇所における障害物として機能する。しかし、上球皿１５を開く方向へ強く引っ張れば、クッション部材と嵌合溝部材７２との間に隙間が生じる可能性があり、クッション部材が障害物としての機能を維持できなくなるおそれがある。
【００５１】
一方、本実施形態では、第２突壁５７の先端部が、上球皿１５の嵌合溝部材７２の上面７２ｂに当接して配置されている。このようにすれば、上球皿１５を開く方向へ強く引っ張ったとしても、第２突壁５７は嵌合溝部材７２の上面７２ｂに当接し続ける。ゆえに、第２突壁５７は、空間Ｓ３のある箇所における好適な障害物としての機能を維持し続けるため、防犯部材５１の防犯能力がより高くなる。
【００５２】
（３）本実施形態では、帯板部５３の裏面５３ａにおける左端部（図１，図２では正面から見て右端部）に第１係合部５４が配置され、帯板部５３の裏面５３ａにおける略中央に第２係合部５５が配置されている。よって、互いに離間した第１係合部５４及び第２係合部５５にて防犯部材５１が取り付けられるため、第１係合部５４及び第２係合部５５が互いに近接している場合に比べて、防犯部材５１を安定的に固定できる。
【００５３】
（４）本実施形態では、前枠１４を閉じた状態で、覆板部５２の表面５２ｂがガラス枠１４ａに略当接している。よって、発射された遊技球のガラス枠１４ａへの衝突が覆板部５２により防止されるため、遊技球の衝突によるガラス枠１４ａの破損を防止することができる。
［第２の実施形態］
【００５４】
次に、第２の実施形態のパチンコ機１０を図９（ａ），（ｂ）に基づき説明する。なお、前記第１の実施形態と共通している構成については、同一の番号を付す代わりに、その詳細な説明を省略する。
【００５５】
本実施形態においては、防犯部材５１の形状のみが前記第１の実施形態と異なっている。具体的に言うと、本実施形態の防犯部材５１には帯板部５３やリブ５８が設けられていない。また、第２突壁５７の形状は前記第１の実施形態と異なっている。
【００５６】
図９（ａ），（ｂ）に示されるように、第２突壁５７は、覆板部５２の表面５２ｂから垂直方向に延びる基端部９１と、基端部９１の先端から同基端部９１に直交して延びる中間部９２と、中間部９２の先端から基端部９１と同一方向に延びる先端部９３とを備えている。基端部９１の突出量は、第１突壁５６の突出量よりも小さくなっており、前記第１の実施形態におけるリブ５８の突出量と等しくなっている。このため、中間部９２は、開閉板１６を閉じた際に嵌合溝部材７２の背面７２ａに当接（面接触）する。中間部９２は、基端部９１の先端から下方に延びており、その上下方向の長さは、嵌合溝部材７２の背面７２ａ部分の高さと略同一になっている。また、先端部９３は、開閉板１６を閉じた状態において、嵌合溝部材７２の背面７２ａよりも遊技盤１３の前方に突出し、かつ嵌合溝部材７２の下板部７４（下面７２ｃ）の前端よりもやや後方に位置する長さに設定されている。さらに、先端部９３は、嵌合溝部材７２の下方に延びるとともに、嵌合溝部材７２（下板部７４）の下面７２ｃに当接して配置されている。
【００５７】
従って、本実施形態のパチンコ機１０によれば、嵌合溝部材７２と中間部９２との間に空間が生じなくなるため、ファール球排出口８３を介して挿入された不正器具Ｗが嵌合溝部材７２と中間部９２との間に侵入することを防止できる。従って、防犯部材５１の防犯能力がよりいっそう高くなる。また、上球皿１５を閉じた際に、中間部９２が上球皿１５の嵌合溝部材７２の背面７２ａに当接するため、防犯部材５１のガタツキを上球皿１５によって抑えることができる。
【００５８】
なお、本発明の実施形態は以下のように変更してもよい。
【００５９】
・上記第１の実施形態では、第２突壁５７の先端部は、嵌合溝部材７２の上面７２ｂに当接して配置されていた。しかし、第２突壁５７の先端部は、嵌合溝部材７２の上面７２ｂに近接して配置（上面７２ｂに対して０．１ｍｍ〜数ｍｍ程度離間した状態で配置）されていてもよい。具体的に言うと、第２突壁５７の先端部は、図１０に示されるように、嵌合溝部材７２の上板部７３と溝部材１４ｂとの間に配置されていてもよいし、図１１に示されるように、枠部１４ｃの下面に当接して配置されていてもよい。また、第２突壁５７の先端部は、嵌合溝部材７２の下面７２ｃに当接して配置されていてもよいし、図１２に示されるように、下面７２ｃに近接して配置（下面７２ｃに対して０．１ｍｍ〜数ｍｍ程度離間した状態で配置）されていてもよい。
【００６０】
・上記第２の実施形態では、第２突壁５７の先端部９３は、嵌合溝部材７２の下面７２ｃに当接して配置されていたが、下面７２ｃに近接して配置（下面７２ｃに対して０．１ｍｍ〜数ｍｍ程度離間した状態で配置）されていてもよい。
【００６１】
・上記第１の実施形態では、覆板部５２の上端が、遊技盤１３の下端から遊技盤１３の約１／４の高さだけ上方に位置していたが、遊技盤面１３ａの下端から遊技盤面１３ａの約１／３の高さだけ上方に位置していてもよい。このようにすれば、覆板部５２の上端が、遊技盤面１３ａ上にある始動入賞口２２の上端と略同一の高さに位置するようになる。従って、始動入賞口２２及び大入賞口２４に対する不正器具Ｗによる不正行為をより確実に防止できる。
【００６２】
・上記第１の実施形態では、１つのリブ５８が、帯板部５３の表面５３ｂにおける略中央に設けられていた。しかし、リブ５８は、帯板部５３の表面５３ｂにおいて複数箇所に設けられていてもよい。なお、この場合、各リブ５８は、表面５３ｂにおいて互いに同じ距離だけ離間した状態で配置されることが好ましい。このようにすれば、各リブ５８が互いに近接している場合に比べて、防犯部材５１を安定的に固定できる。
【００６３】
次に、特許請求の範囲に記載された技術的思想のほかに、前述した実施形態によって把握される技術的思想を以下に列挙する。
【００６４】
（１）請求項１乃至５のいずれか１項において、無色透明の透光性部材によって形成されていること。
【００６５】
（２）請求項３において、前記覆板部に、横方向に延設され、前記球移動空間の下端部分と、前記遊技盤面の外周部分にあるコーナー化粧部材の下端部分とを覆う帯板部が形成されており、前記係合部は、前記帯板部の端部に設けられ、前記コーナー化粧部材に設けられた穴部に挿入される第１係合部と、前記帯板部の略中央に設けられ、前記コーナー化粧部材の端部に係合する第２係合部とを備えること。
【００６６】
（３）遊技盤の下辺部に取り付けられ、ファール球排出口から遊技盤面への不正器具の侵入を防止する防犯部材であって、前記遊技盤面上にある内レールと外レールとの間に生じる球移動空間を覆う覆板部と、前記覆板部の裏面から略垂直方向に突出し、前記内レールの側面に沿うよう湾曲形成された第１突壁と、少なくともその基端部が前記覆板部の表面から略垂直方向に突出し、少なくともその先端部が球受皿の上辺部の上面または下面に近接または当接して配置され、横方向の長さが前記ファール球排出口の横幅よりも大きい第２突壁とを備えることを特徴とするパチンコ機用の防犯部材。
【図面の簡単な説明】
【００６７】
【図１】第１の実施形態において、前枠及び開閉板を開いた状態のパチンコ機を示す正面図。
【図２】同じく、パチンコ機の要部を示す正面図。
【図３】同じく、パチンコ機の側断面図。
【図４】上球皿が取り付けられた開閉板の裏面側を示す斜視図。
【図５】（ａ），（ｂ）は、第１の実施形態における防犯部材を示す斜視図。
【図６】（ａ）は、防犯部材の上面図、（ｂ）は、防犯部材の正面図、（ｃ）は、防犯部材の下面図、（ｄ）は、図６（ｂ）のＡ−Ａ線断面図。
【図７】防犯部材が取り付けられていない状態のパチンコ機の要部を示す正面図。
【図８】遊技盤の右側部分及びコーナー化粧部材を示す斜視図。
【図９】（ａ）は、第２の実施形態におけるパチンコ機を示す側断面図、（ｂ）は、第２の実施形態の防犯部材を示す側断面図。
【図１０】他の実施形態におけるパチンコ機の側断面図。
【図１１】他の実施形態におけるパチンコ機の側断面図。
【図１２】他の実施形態におけるパチンコ機の側断面図。
【図１３】従来技術におけるパチンコ機を示す側断面図。
【図１４】同じく、前枠が開く方向へ引っ張られた状態のパチンコ機を示す側断面図。
【符号の説明】
【００６８】
１０…パチンコ機
１３…遊技盤
１３ａ…遊技盤面
１５…球受皿としての上球皿
３１…球移動空間
３１ａ…内レール
３１ｂ…外レール
５１…防犯部材
５２…覆板部
５２ａ…覆板部の裏面
５２ｂ…覆板部の表面
５３…帯板部
５４…係合部としての第１係合部
５５…係合部としての第２係合部
５６…第１突壁
５７…第２突壁
５８…リブ
７２…上辺部としての嵌合溝部材
７２ａ…上辺部の背面
７２ｂ…上辺部の上面
７２ｃ…上辺部の下面
８３…ファール球排出口
９１…基端部
９２…中間部
９３…先端部
Ｗ…不正器具
【図１】
2006334037.tif 000003
【図２】
2006334037.tif 000004
【図３】
2006334037.tif 000005
【図４】
2006334037.tif 000006
【図５】
2006334037.tif 000007
【図６】
2006334037.tif 000008
【図７】
2006334037.tif 000009
【図８】
2006334037.tif 000010
【図９】
2006334037.tif 000011
【図１０】
2006334037.tif 000012
【図１１】
2006334037.tif 000013
【図１２】
2006334037.tif 000014
【図１３】
2006334037.tif 000015
【図１４】
2006334037.tif 000016